(57)【要約】【課題】媒体に関連付けられた情報を読取手段が読み取り可能な表示面上の位置を操作者に案内する。【解決手段】表示装置は、情報を読み取る読取手段と、カード９９を操作台２０に近付ける操作又は置く操作に応じて、カード９９に関連付けられた情報を読取手段が読み取り可能な操作台２０上の位置２１１，２２１を案内する案内情報２３１，２４１を操作台２０に表示する表示手段とを備える。【選択図】図１８
2019092064.tif 000002
【特許請求の範囲】
【請求項１】
情報を読み取る読取手段と、
媒体を表示面に近付ける操作又は置く操作に応じて、当該媒体に関連付けられた情報を前記読取手段が読み取り可能な当該表示面上の位置を案内する案内情報を当該表示面に表示する表示手段と
を備えたことを特徴とする表示装置。
【請求項２】
前記表示手段は、前記媒体の種類に応じた前記表示面上の位置を案内する前記案内情報を表示することを特徴とする請求項１に記載の表示装置。
【請求項３】
前記媒体に関連付けられた情報は、当該媒体に記録された情報であることを特徴とする請求項１に記載の表示装置。
【請求項４】
前記読取手段は、前記媒体と通信することにより、当該媒体に記録された情報を読み取ることを特徴とする請求項３に記載の表示装置。
【請求項５】
前記表示手段は、前記媒体に記録された情報を前記読取手段が読み取り可能な前記表示面上の位置を示す前記案内情報を当該表示面に表示することを特徴とする請求項４に記載の表示装置。
【請求項６】
前記表示手段は、前記媒体が近付けられた又は置かれた前記表示面上の位置から当該媒体に記録された情報を前記読取手段が読み取り可能な当該表示面上の位置への方向を示す前記案内情報を当該表示面に表示することを特徴とする請求項４に記載の表示装置。
【請求項７】
前記媒体に関連付けられた情報は、当該媒体に関連付けて携帯情報端末に記憶された情報であることを特徴とする請求項１に記載の表示装置。
【請求項８】
前記読取手段は、前記携帯情報端末と通信することにより、又は、前記携帯情報端末に記憶された情報が当該携帯情報端末の表示部に表示された状態で当該表示部を撮影することにより、当該携帯情報端末に記憶された情報を読み取ることを特徴とする請求項７に記載の表示装置。
【請求項９】
前記表示手段は、前記携帯情報端末に記憶された情報を前記読取手段が読み取り可能な前記表示面上の位置を示す前記案内情報を当該表示面に表示することを特徴とする請求項８に記載の表示装置。
【請求項１０】
前記表示手段は、前記媒体が近付けられた又は置かれた前記表示面上の位置から前記携帯情報端末に記憶された情報を前記読取手段が読み取り可能な当該表示面上の位置への方向を示す前記案内情報を当該表示面に表示することを特徴とする請求項８に記載の表示装置。
【請求項１１】
前記表示手段は、文書を示す画像を前記表示面に表示し、
前記媒体に関連付けられた情報は、当該媒体が近付けられた又は置かれた前記表示面上の位置に前記表示手段により表示された前記画像により示される文書の処理で用いられる情報であることを特徴とする請求項１に記載の表示装置。
【請求項１２】
前記表示手段は、前記媒体に関連付けられた情報を前記読取手段が読み取り可能な前記表示面の位置に向けて当該媒体を移動させる操作に応じて、当該表示面に表示された前記画像を移動させることを特徴とする請求項１１に記載の表示装置。
【請求項１３】
前記表示手段は、前記媒体に関連付けられた情報を前記読取手段が読み取ると、前記表示面に表示された前記画像の表示態様を変更することを特徴とする請求項１２に記載の表示装置。
【請求項１４】
前記画像は、複数の文書をそれぞれ示す複数の部分画像を含み、
複数の媒体のうちの各媒体に関連付けられた情報は、前記複数の部分画像のうち、当該各媒体が近付けられた又は置かれた前記表示面上の位置に前記表示手段により表示された少なくとも１つの部分画像によりそれぞれ示される少なくとも１つの文書の処理で用いられる情報であることを特徴とする請求項１１に記載の表示装置。
【請求項１５】
前記文書の処理で用いられる情報は、当該文書の処理に対して課金する際に用いられる情報であることを特徴とする請求項１１に記載の表示装置。
【請求項１６】
コンピュータに、
読取手段により情報を読み取る機能と、
媒体を表示面に近付ける操作又は置く操作に応じて、当該媒体に関連付けられた情報を前記読取手段が読み取り可能な当該表示面上の位置を案内する案内情報を当該表示面に表示する機能と
を実現させるためのプログラム。
【発明の詳細な説明】
【技術分野】
【０００１】
本発明は、表示装置及びプログラムに関する。
【背景技術】
【０００２】
フラットパネル表示装置と、そのフラットパネル表示装置の背部に設けられた近接カード・リーダと、を具え、認証が行われるときに、その近接カード・リーダによって読み取られるべき非接触型の認証用ＩＣカードを配置すべき領域がそのフラットパネル表示装置に表示される電子機器は、知られている（例えば、特許文献１参照）。
【先行技術文献】
【特許文献】
【０００３】
【特許文献１】特開２００４−１３３００９号公報
【発明の概要】
【発明が解決しようとする課題】
【０００４】
ここで、媒体に関連付けられた情報を読取手段が読み取り可能な表示面上の位置を知っておくことを操作者に要求する構成を採用した場合には、媒体に関連付けられた情報を読取手段が読み取り可能な表示面上の位置を操作者に案内することはできない。
【０００５】
本発明の目的は、媒体に関連付けられた情報を読取手段が読み取り可能な表示面上の位置を操作者に案内することにある。
【課題を解決するための手段】
【０００６】
請求項１に記載の発明は、情報を読み取る読取手段と、媒体を表示面に近付ける操作又は置く操作に応じて、当該媒体に関連付けられた情報を前記読取手段が読み取り可能な当該表示面上の位置を案内する案内情報を当該表示面に表示する表示手段とを備えたことを特徴とする表示装置である。
請求項２に記載の発明は、前記表示手段は、前記媒体の種類に応じた前記表示面上の位置を案内する前記案内情報を表示することを特徴とする請求項１に記載の表示装置である。
請求項３に記載の発明は、前記媒体に関連付けられた情報は、当該媒体に記録された情報であることを特徴とする請求項１に記載の表示装置である。
請求項４に記載の発明は、前記読取手段は、前記媒体と通信することにより、当該媒体に記録された情報を読み取ることを特徴とする請求項３に記載の表示装置である。
請求項５に記載の発明は、前記表示手段は、前記媒体に記録された情報を前記読取手段が読み取り可能な前記表示面上の位置を示す前記案内情報を当該表示面に表示することを特徴とする請求項４に記載の表示装置である。
請求項６に記載の発明は、前記表示手段は、前記媒体が近付けられた又は置かれた前記表示面上の位置から当該媒体に記録された情報を前記読取手段が読み取り可能な当該表示面上の位置への方向を示す前記案内情報を当該表示面に表示することを特徴とする請求項４に記載の表示装置である。
請求項７に記載の発明は、前記媒体に関連付けられた情報は、当該媒体に関連付けて携帯情報端末に記憶された情報であることを特徴とする請求項１に記載の表示装置である。
請求項８に記載の発明は、前記読取手段は、前記携帯情報端末と通信することにより、又は、前記携帯情報端末に記憶された情報が当該携帯情報端末の表示部に表示された状態で当該表示部を撮影することにより、当該携帯情報端末に記憶された情報を読み取ることを特徴とする請求項７に記載の表示装置である。
請求項９に記載の発明は、前記表示手段は、前記携帯情報端末に記憶された情報を前記読取手段が読み取り可能な前記表示面上の位置を示す前記案内情報を当該表示面に表示することを特徴とする請求項８に記載の表示装置である。
請求項１０に記載の発明は、前記表示手段は、前記媒体が近付けられた又は置かれた前記表示面上の位置から前記携帯情報端末に記憶された情報を前記読取手段が読み取り可能な当該表示面上の位置への方向を示す前記案内情報を当該表示面に表示することを特徴とする請求項８に記載の表示装置である。
請求項１１に記載の発明は、前記表示手段は、文書を示す画像を前記表示面に表示し、前記媒体に関連付けられた情報は、当該媒体が近付けられた又は置かれた前記表示面上の位置に前記表示手段により表示された前記画像により示される文書の処理で用いられる情報であることを特徴とする請求項１に記載の表示装置である。
請求項１２に記載の発明は、前記表示手段は、前記媒体に関連付けられた情報を前記読取手段が読み取り可能な前記表示面の位置に向けて当該媒体を移動させる操作に応じて、当該表示面に表示された前記画像を移動させることを特徴とする請求項１１に記載の表示装置である。
請求項１３に記載の発明は、前記表示手段は、前記媒体に関連付けられた情報を前記読取手段が読み取ると、前記表示面に表示された前記画像の表示態様を変更することを特徴とする請求項１２に記載の表示装置である。
請求項１４に記載の発明は、前記画像は、複数の文書をそれぞれ示す複数の部分画像を含み、複数の媒体のうちの各媒体に関連付けられた情報は、前記複数の部分画像のうち、当該各媒体が近付けられた又は置かれた前記表示面上の位置に前記表示手段により表示された少なくとも１つの部分画像によりそれぞれ示される少なくとも１つの文書の処理で用いられる情報であることを特徴とする請求項１１に記載の表示装置である。
請求項１５に記載の発明は、前記文書の処理で用いられる情報は、当該文書の処理に対して課金する際に用いられる情報であることを特徴とする請求項１１に記載の表示装置である。
請求項１６に記載の発明は、コンピュータに、読取手段により情報を読み取る機能と、媒体を表示面に近付ける操作又は置く操作に応じて、当該媒体に関連付けられた情報を前記読取手段が読み取り可能な当該表示面上の位置を案内する案内情報を当該表示面に表示する機能とを実現させるためのプログラムである。
【発明の効果】
【０００７】
請求項１の発明によれば、媒体に関連付けられた情報を読取手段が読み取り可能な表示面上の位置を操作者に案内することができる。
請求項２の発明によれば、媒体の種類に相応しい表示面上の位置を操作者に案内することができる。
請求項３の発明によれば、媒体に記録された情報を読取手段が読み取り可能な表示面上の位置を操作者に案内することができる。
請求項４の発明によれば、媒体に記録された情報を読取手段が媒体と通信することにより読み取り可能な表示面上の位置を操作者に案内することができる。
請求項５の発明によれば、媒体に記録された情報を読取手段が読み取り可能な表示面上の位置を知らせることができる。
請求項６の発明によれば、媒体に記録された情報を読取手段が読み取り可能な表示面上の位置への方向を知らせることができる。
請求項７の発明によれば、媒体に関連付けて携帯情報端末に記憶された情報を読取手段が読み取り可能な表示面上の位置を操作者に案内することができる。
請求項８の発明によれば、媒体に関連付けて携帯情報端末に記憶された情報を読取手段が携帯情報端末と通信することにより又は携帯情報端末を撮像することにより読み取り可能な表示面上の位置を操作者に案内することができる。
請求項９の発明によれば、媒体に関連付けて携帯情報端末に記憶された情報を読取手段が読み取り可能な表示面上の位置を知らせることができる。
請求項１０の発明によれば、媒体に関連付けて携帯情報端末に記憶された情報を読取手段が読み取り可能な表示面上の位置への方向を知らせることができる。
請求項１１の発明によれば、媒体が近付けられた又は置かれた表示面上の位置に表示された画像により示される文書の処理で用いられる情報を読取手段が読み取り可能な表示面上の位置を操作者に案内することができる。
請求項１２の発明によれば、媒体とその媒体に関連付けられた情報を用いて処理が行われる文書との対応を知らせることができる。
請求項１３の発明によれば、媒体に関連付けられた情報を読取手段が読み取ったことを知らせることができる。
請求項１４の発明によれば、複数の媒体の各媒体について、各媒体が近付けられた又は置かれた表示面上の位置に表示された画像により示される文書の処理で用いられる情報を読取手段が読み取り可能な表示面上の位置を操作者に案内することができる。
請求項１５の発明によれば、媒体が近付けられた又は置かれた表示面上の位置に表示された画像により示される文書の処理に対して課金する際に用いられる情報を読取手段が読み取り可能な表示面上の位置を操作者に案内することができる。
請求項１６の発明によれば、媒体に関連付けられた情報を読取手段が読み取り可能な表示面上の位置を操作者に案内することができる。
【図面の簡単な説明】
【０００８】
【図１】本発明の実施の形態が適用される画像処理装置の外観を示した図である。
【図２】本発明の実施の形態が適用される画像処理装置のハードウェア構成例を示した図である。
【図３】本発明の実施の形態における制御装置の機能構成例を示したブロック図である。
【図４】画像処理装置の待機中における画面表示例を示した図である。
【図５】画像処理装置のログイン完了時における画面表示例を示した図である。
【図６】画像処理装置の印刷操作開始時における画面表示例を示した図である。
【図７】画像処理装置のファイル内容確認時における画面表示例を示した図である。
【図８】画像処理装置の出力形式選択時における画面表示例を示した図である。
【図９】画像処理装置の印刷完了時における画面の表示例を示した図である。
【図１０】ユーザが原稿を操作台に置いた時の画面表示例を示した図である。
【図１１】ユーザが原稿を操作台に置いた時の画面表示例を示した図である。
【図１２】画像処理装置の二次元スキャン完了時における画面表示例を示した図である。
【図１３】画像処理装置の保存操作開始時における画面表示例を示した図である。
【図１４】画像処理装置の三次元スキャン完了時における画面表示例を示した図である。
【図１５】本発明の実施の形態における制御装置の動作例を示したフローチャートである。
【図１６】プリント処理を行う際の制御装置の動作例を示したフローチャートである。
【図１７】二次元スキャン処理を行う際の制御装置の動作例を示したフローチャートである。
【図１８】プリント処理の支払い処理で表示される画面表示例を示した図である。
【図１９】二次元スキャン処理の支払い処理で表示される画面表示例を示した図である。
【図２０】支払い処理を行う際の制御装置の動作例を示したフローチャートである。
【発明を実施するための形態】
【０００９】
以下、添付図面を参照して、本発明の実施の形態について詳細に説明する。
【００１０】
［画像処理装置の全体構成］
図１は、本実施の形態が適用される画像処理装置１００の外観を示した図である。図示するように、画像処理装置１００は、ガイド表示部１０と、操作台２０と、投影部３０と、操作検知部４０と、印刷部５０と、撮像部６０ａ〜６０ｄとを備える。
【００１１】
ガイド表示部１０は、画像処理装置１００の操作に対するガイド等のユーザに対するメッセージを表示するディスプレイである。ガイド表示部１０は、後述する操作台２０とは異なり、その表面に接触しても接触は検知されないようになっている。ここで、ガイド表示部１０としては、例えば、液晶ディスプレイを用いるとよい。本実施の形態では、接触する操作を検知しない第１の表示面の一例として、ガイド表示部１０を設けている。
【００１２】
操作台２０は、ユーザが携帯情報端末や原稿等を置いたり操作を行ったりすることができるように、ユーザ側にせり出すように設けられた略水平な台である。この場合の「略水平」は、操作台２０に置かれた携帯情報端末や原稿等がずれ落ちない程度の水平度合いであればよい。操作台２０は、後述する投影部３０の機能により、画像が表示されるようになっており、後述する操作検知部４０の機能により、その表面に接触した場合に接触が検知されるようになっている。但し、操作台２０自体をディスプレイで構成し、投影部３０を設けないようにしてもよい。本実施の形態では、表示面、第２の表示面、原稿台の一例として、操作台２０を設けている。
【００１３】
投影部３０は、操作台２０に画像を投影するプロジェクタである。投影部３０は、ガイド表示部１０の下部に設けてあるため、操作台２０に斜め上方向から画像を投影することになるが、操作台２０の鉛直上方に設けて、操作台２０に真上方向から画像を投影するようにしてもよい。或いは、投影部３０を操作台２０の鉛直下方に設けたり、投影部３０と共にミラーを用いたりして、操作台２０に真下方向から画像を投影するようにしてもよい。ここで、投影部３０としては、例えば、液晶プロジェクタを用いるとよい。
【００１４】
操作検知部４０は、操作台２０の表面に接触することによる操作を検知する。この操作の検知は、例えば、操作台２０に表面に放射状に赤外線を照射してユーザの指等がその赤外線を遮ることを感知することによって行えばよい。即ち、操作検知部４０としては、例えば、赤外線ＬＥＤ及び赤外線センサを用いるとよい。
【００１５】
印刷部５０は、紙等に画像を印刷するプリンタである。ここで、印刷部５０としては、例えば、感光体に付着させたトナーを記録媒体に転写して像を形成する電子写真方式や、インクを記録媒体上に吐出して像を形成するインクジェット方式のものを用いるとよい。或いは、印刷部５０は、版にインクを付けて紙等に押し付けて印刷物を作る印刷機であってもよい。本実施の形態では、印刷装置の一例として、印刷部５０を設けている。
【００１６】
撮像部６０ａ〜６０ｄは、操作台２０に置かれた原稿や携帯情報端末を撮像するカメラである。このうち、撮像部６０ａ，６０ｂは、ガイド表示部１０の上部に設けてあるため、主として、操作台２０に置かれた原稿や携帯情報端末を上方から撮像する。また、撮像部６０ｃ，６０ｄは、操作台２０の手前側に設けてあるため、主として、操作台２０に立体物が置かれた場合にそれを斜め下方向から撮像する。このように、撮像部６０ａ〜６０ｄは、その設けられた位置によって用途が異なるが、以下では、これらを区別しない場合は、撮像部６０と称することにする。この場合、撮像部６０はスキャナとして設けられているので、以下では、撮像部６０について「撮像する」を「スキャンする」とも表記するものとする。本実施の形態では、読取装置の一例として、撮像部６０を設けている。また、図では、撮像部６０を４つのみ示しているが、その数はこれに限られるものではない。例えば、ユーザの視線や動作を検知するための撮像部６０をそのような検知が可能な位置に設けてもよい。
【００１７】
［画像処理装置のハードウェア構成］
図２は、本実施の形態が適用される画像処理装置１００のハードウェア構成例を示した図である。図示するように、画像処理装置１００は、ＣＰＵ（Central Processing Unit）１と、ＲＡＭ（Random Access Memory）２と、ＲＯＭ（Read Only Memory）３と、ＨＤＤ（Hard Disk Drive）４と、通信インターフェース（以下、「通信Ｉ／Ｆ」と表記する）５と、ガイド表示部１０と、投影部３０と、操作検知部４０と、印刷部５０と、撮像部６０とを備える。
【００１８】
ＣＰＵ１は、ＲＯＭ３等に記憶された各種プログラムをＲＡＭ２にロードして実行することにより、後述する各機能を実現する。ＲＡＭ２は、ＣＰＵ１の作業用メモリ等として用いられるメモリである。ＲＯＭ３は、ＣＰＵ１が実行する各種プログラム等を記憶するメモリである。ＨＤＤ４は、撮像部６０がスキャンしたデータや印刷部５０における印刷で用いられるデータ等を記憶する例えば磁気ディスク装置である。通信Ｉ／Ｆ５は、通信回線を介して他の装置との間で各種情報の送受信を行う。
【００１９】
ガイド表示部１０、投影部３０、操作検知部４０、印刷部５０、及び、撮像部６０については、図１を参照して既に説明したので、ここでの説明は省略する。
【００２０】
［制御装置の機能構成］
図３は、このような画像処理装置１００を制御する制御装置７０の機能構成例を示したブロック図である。ここで、制御装置７０は、表示装置、画像読取装置の一例であり、画像処理装置１００のＣＰＵ１（図２参照）が、後述する各機能部を実現するプログラムを例えばＲＯＭ３（図２参照）からＲＡＭ２（図２参照）に読み込んで実行することにより、実現される装置として捉えられる。制御装置７０は、図示するように、表示制御部７１と、投影制御部７２と、検知制御部７３と、印刷制御部７４と、撮像制御部７５と、通信制御部７６と、支払い処理部７７と、原稿種類認識部７８と、スキャンデータ処理部７９とを備える。
【００２１】
表示制御部７１は、ガイド表示部１０に各種ガイド及び各種画面を表示する。本実施の形態では、第１の表示面に情報を表示する第１の表示手段の一例として、表示制御部７１を設けている。
【００２２】
投影制御部７２は、投影部３０を用いて、操作台２０に各種画面を表示する。本実施の形態では、表示面、第２の表示面、原稿台に情報を表示する第２の表示手段の一例として、投影制御部７２を設けている。
【００２３】
検知制御部７３は、操作台２０の表面に接触することによる操作を操作検知部４０が検知したかどうかを判定する。また、ユーザの接近を人感センサ（図示せず）が検知したかどうかも判定する。
【００２４】
印刷制御部７４は、印刷部５０による印刷を制御する。
【００２５】
撮像制御部７５は、操作台２０に置かれた原稿や携帯情報端末を撮像するように撮像部６０を制御し、撮像部６０による撮像で得られた画像を取得する。特に、操作台２０に原稿が置かれてから予め定められた時間が経過すると原稿をスキャンするように撮像部６０を制御し、このスキャンにより得られた電子データであるスキャンデータを取得する。本実施の形態では、画像を読み取る読取手段の一例として、撮像制御部７５を設けている。また、撮像制御部７５は、ユーザの視線や動作を検知するための撮像部６０から、その検知結果を取得することもある。この場合、撮像制御部７５は、操作者の動作を検知する検知手段の一例である。
【００２６】
通信制御部７６は、カードに記録された情報をカードリーダ（図示せず）が読み取ると、カードリーダから情報を受信する。また、携帯情報端末に記憶された情報をＮＦＣ（Near Field Communication）リーダ（図示せず）が受信すると、ＮＦＣリーダから情報を受信する。更に、携帯情報端末に記憶された情報をＷｉ−Ｆｉ（登録商標）により受信する。尚、Ｗｉ−Ｆｉの代わりに、Ｂｌｕｅｔｏｏｔｈ（登録商標）を用いてもよいが、以下では、Ｗｉ−Ｆｉを用いるものとして説明する。本実施の形態では、情報を読み取る読取手段の一例として、通信制御部７６を設けている。
【００２７】
また、通信制御部７６は、通信Ｉ／Ｆ５を介して、外部のクラウドシステムからファイルを受信したり、外部のクラウドシステムへファイルを送信したりする。本実施の形態では、他の装置からデータを受信する受信手段の一例として、また、他の装置へデータを送信する送信手段の一例として、通信制御部７６を設けている。
【００２８】
支払い処理部７７は、通信制御部７６がカードリーダから受信した情報や、通信制御部７６がＷｉ−Ｆｉにより受信した情報に基づいて、支払い情報の作成等の支払いに関する処理を行う。
【００２９】
原稿種類認識部７８は、操作台２０に原稿が置かれると、原稿の種類を認識する。この原稿の種類の認識は、例えば、原稿の種類ごとに予め記憶された画像データとのパターンマッチングにより行えばよい。
【００３０】
スキャンデータ処理部７９は、撮像制御部７５が取得したスキャンデータに対して各種処理を行う。ここで、各種処理は、スキャンデータを加工する処理、複数のスキャンで得られたスキャンデータを一体化する処理等を含む。本実施の形態では、２つの画像を一体化した画像を出力する出力手段の一例として、スキャンデータ処理部７９を設けている。
【００３１】
［画像処理装置の画面表示例］
本実施の形態では、最終的なプリント及びスキャンは画像処理装置１００で行われるが、そのための事前の操作はスマートフォン等の携帯情報端末で行われる。
【００３２】
そこで、画像処理装置１００の画面表示例を説明するに先立ち、携帯情報端末における事前の操作について説明する。携帯情報端末には、画像処理装置１００を利用するためのアプリケーションソフトウェア（以下、「アプリ」という）がインストールされており、ユーザはこのアプリを用いて事前の操作を行う。尚、本実施の形態で用いられるアプリは、画像処理装置１００を利用するためのアプリだけであるので、本明細書で「アプリ」というときは、この画像処理装置１００を利用するためのアプリを指すものとする。
【００３３】
まず、携帯情報端末における初回の操作について説明する。ユーザは、画像処理装置１００を利用するサービスに加入する際に、携帯情報端末でアプリを起動し、認証を行うための認証情報とその他の各種情報とを登録する。
【００３４】
携帯情報端末に登録された各種情報（以下、「登録情報」という）は、支払い方法、印刷設定、保存先等を含む。
【００３５】
本実施の形態において、画像処理装置１００は、公共の空間に設置されて利用されるものであることを前提とするので、支払い方法の登録が必要である。即ち、支払い方法は、プリントやスキャンに対してどのような方法で支払いを行うかを示すものであり、例えば、クレジットカードによる支払い、電子マネー型のＩＣカードによる支払い等を含む。
【００３６】
また、印刷設定は、プリントする際にどのようなプリント結果を得たいかを示すものである。印刷設定は、例えば、白黒印刷かカラー印刷か、片面印刷か両面印刷か等の通常の印刷設定に加えて、ステープル留めをするか、封筒に入れるか、ビニールに入れるか等の特殊な出力形式の印刷設定も含む。
【００３７】
更に、保存先は、原稿をスキャンすることにより得られたスキャンデータをどこに保存するかを示すものである。保存先は、経費精算クラウドシステム、文書管理クラウドシステム、名刺管理クラウドシステム等を含む。これらの保存先は、原稿の種類ごとに、その種類の原稿のスキャンデータが保存される場所として登録しておくとよい。例えば、原稿の種類がレシートであれば、そのスキャンデータは経費精算クラウドシステムに、原稿の種類がＡ４用紙であれば、そのスキャンデータは文書管理クラウドシステムに、原稿の種類が名刺であれば、そのスキャンデータは名刺管理クラウドシステムに、それぞれ保存されるように登録しておけばよい。
【００３８】
次に、携帯情報端末における２回目以降の操作について説明する。ユーザは、例えばクラウドシステムに格納されたファイルを印刷する際に、携帯情報端末でアプリを起動し、クラウドシステムからファイルのリストを取得して、携帯情報端末の表示部に表示する。この状態で、ユーザは、印刷したいファイルを指定することにより、印刷を予約する。以下、この印刷が予約されたファイルを「印刷予約ファイル」と呼ぶことにする。また、ユーザは、印刷予約ファイルに対して、各種情報を登録する。例えば、印刷予約ファイルに対して、出力形式を設定し、支払い方法を設定する。或いは、印刷予約ファイルに対して、出力形式や支払い方法は設定しないままにしておいてもよい。
【００３９】
その後、ユーザが実際にプリントする際には、公共の空間における画像処理装置１００の設置場所に行く必要がある。携帯情報端末のアプリは、この場合の情報の提供も行う。例えば、ユーザが携帯情報端末で印刷予約ファイルを指定して検索ボタンを押下すると、アプリは、ユーザの周辺の地図を携帯情報端末の表示部に表示し、指定された印刷予約ファイルに対して設定された出力形式等を考慮して、その印刷予約ファイルを印刷可能な画像処理装置１００の設置場所を地図上に表示する。これにより、ユーザは、画像処理装置１００の設置場所に行き、印刷したい印刷予約ファイルをプリントすることが可能となる。
【００４０】
以下、画像処理装置１００における画面表示例について説明する。
【００４１】
（待機中の画面表示例）
図４は、画像処理装置１００の待機中における画面表示例を示した図である。図示するように、画像処理装置１００は、待機中において、ガイド表示部１０に待機中画面１０１を表示する。待機中画面１０１は、画像処理装置１００の設置場所でユーザが必要とすると思われる情報を表す表示要素の一例である図形を含む。図では、このような情報の例として、情報Ａ〜Ｈを示している。待機中画面１０１には、画像処理装置１００の設置場所に応じて様々なバージョンがあり、情報Ａ〜Ｈは、待機中画面１０１のバージョンによって異なる。例えば、画像処理装置１００が駅に設置されていれば、待機中画面１０１は駅バージョンであり、情報Ａ〜Ｈは、運行、時刻表、旅行等に関する情報である。尚、図では、情報Ａ〜Ｈを示す図形は、全て同じ大きさとしているが、ユーザが必要とする度合いが高いと推測される情報を表す図形は大きくする等、情報の重要度に応じて変更してもよい。
【００４２】
図４の待機中画面１０１が表示された状態で、ユーザが携帯情報端末９０、原稿９５、及び、立体物９７の何れかを操作台２０に置くと、画像処理装置１００は、プリント処理、二次元スキャン処理、三次元スキャン処理のうち、操作台２０に置かれた物に応じた処理へ移行する。具体的には、画像処理装置１００は、ユーザが携帯情報端末９０を操作台２０に置くと、携帯情報端末９０でアプリが起動されており、アプリが送信した認証情報に基づいて認証が成功すれば、プリント処理へ移行する。一方、ユーザが原稿９５を操作台２０に置くと、二次元スキャン処理へ移行し、ユーザが立体物９７を操作台２０に置くと、三次元スキャン処理へ移行する。
【００４３】
（プリント処理時の画面表示例）
図５は、画像処理装置１００のログイン完了時における画面表示例を示した図である。ユーザが携帯情報端末９０を操作台２０に置き、認証が成功すると、画像処理装置１００は、プリント処理を開始する。その際、認証が成功することによりログイン処理が完了するので、画像処理装置１００は、まず、ガイド表示部１０及び操作台２０にログイン完了画面１０２を表示する。ログイン完了画面１０２は、図示するように、携帯情報端末９０と、操作台２０と、ガイド表示部１０とをアニメーションにより連携した画面となっている。
【００４４】
図６は、画像処理装置１００の印刷操作開始時における画面表示例を示した図である。操作台２０に置かれた携帯情報端末９０で印刷予約ファイルが指定されていれば、画像処理装置１００は、操作台２０に印刷指示画面１０３を表示する。印刷指示画面１０３は、印刷予約ファイルを表す画像（以下、「ファイル画像」という）を含む。図では、このようなファイル画像の例として、ファイル画像９１１〜９１３を示している。また、図では、印刷予約ファイルの属性に応じて印刷料金を算出し、印刷指示画面１０３にこの印刷料金も表示している。一方、画像処理装置１００は、ガイド表示部１０に、編集に関するガイド１２１と、印刷に関するガイド１２２とを表示する。このとき、携帯情報端末９０では、図示するように、アプリが表示部に印刷ボタンを表示する。
【００４５】
図７は、画像処理装置１００のファイル内容確認時における画面表示例を示した図である。ユーザが、図６のガイド１２１に従って、拡大ジェスチャを行うと、画像処理装置１００は、操作台２０にファイル内容表示画面１０４を表示する。ファイル内容表示画面１０４は、実際のサイズで文書等を表示し、その編集を可能とする画面である。例えばファイル画像９１３上で拡大ジェスチャを行った場合、ファイル画像９１３により表される印刷予約ファイルの内容が表示される。一方、画像処理装置１００は、ガイド表示部１０に、内容確認に関するガイド１２３と、出力形式に関するガイド１２４とを表示する。社内文書等の機密を保持すべき文書は、まずは、文字をぼかして表示し、ユーザがガイド１２３に従って指でなぞることにより、文字を見えるように表示するとよい。或いは、手のひらでなぞることにより文字を見えるように表示してもよい。
【００４６】
図８は、画像処理装置１００の出力形式選択時における画面表示例を示した図である。ユーザが、図７のガイド１２４に従って、製本ボタン（図示せず）を押下すると、画像処理装置１００は、操作台２０に出力形式表示画面１０５を表示する。出力形式表示画面１０５は、様々な出力形式を含み、その中から好みの出力形式を選択可能とする。ユーザが何れかの出力形式を選択すると、画像処理装置１００は、画面を元の画面に戻す。
【００４７】
その後、図６の印刷指示画面１０３が表示された状態で、ユーザが印刷料金を支払い、印刷ボタンを押下すると、画像処理装置１００は、印刷を開始する。その際、画像処理装置１００は、ファイル画像９１１〜９１３を手前にフェードアウトするように移動させる。
【００４８】
図９は、画像処理装置１００の印刷完了時における画面の表示例を示した図である。印刷が完了すると、画像処理装置１００は、操作台２０にログアウトガイド画面１０６を表示する。ログアウトガイド画面１０６は、携帯情報端末９０を外す操作を促すように、携帯情報端末９０の周囲のぼんやりと光る部分を含む。一方、画像処理装置１００は、ガイド表示部１０に、ログアウトに関するガイド１２５と、荷物に関するガイド１２６とを表示する。このとき、携帯情報端末９０では、図示するように、アプリが表示部にチェックマークを表示することにより、印刷が完了したことをユーザに知らせる。
【００４９】
これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５０】
（二次元スキャン処理時の画面表示例）
図１０，１１は、ユーザが原稿９５を操作台２０に置いた時の画面表示例を示した図である。ユーザが原稿９５を操作台２０に置くと、画像処理装置１００は、ガイド表示部１０に、原稿９５の位置調整に関するガイド１７１を表示する。まず、ユーザが、ガイド１７１に従い、図１０に示すように、原稿９５として、レシート９５１、Ａ４用紙９５２、及び、名刺９５３を互いに近付けて操作台２０に置いた場合を考える。この場合、画像処理装置１００は、原稿９５の種類を文書と認識し、操作台２０に、その旨を示す原稿種類認識結果１５０を表示する。次に、ユーザが、ガイド１７１に従い、図１１に示すように、原稿９５として、レシート９５１、Ａ４用紙９５２、及び、名刺９５３を互いに離して操作台２０に置いた場合を考える。この場合、画像処理装置１００は、原稿９５の種類をレシート、Ａ４用紙、及び、名刺と認識し、操作台２０に、その旨を示す原稿種類認識結果１５１〜１５３を表示する。
【００５１】
その後、図１１のように原稿９５が置かれた状態で、予め定められた時間が経過すると、画像処理装置１００は、原稿９５をスキャンする。
【００５２】
図１２は、画像処理装置１００のスキャン完了時における画面表示例を示した図である。スキャンが完了すると、画像処理装置１００は、ガイド表示部１０に、原稿９５の取り去りに関するガイド１７２と、保存先に関するガイド１７３とを表示する。ユーザが、ガイド１７２に従って、レシート９５１、Ａ４用紙９５２、及び、名刺９５３を操作台２０から取り去ると、画像処理装置１００は、操作台２０に、レシートのスキャン画像９２１、Ａ４用紙のスキャン画像９２２、及び、名刺のスキャン画像９２３を表示する。その際、画像処理装置１００は、スキャン画像９２１〜９２３を、正立した状態で表示する。
【００５３】
図１３は、画像処理装置１００の保存操作開始時における画面表示例を示した図である。ユーザが、携帯情報端末９０を操作台２０に置くと、画像処理装置１００は、操作台２０に保存指示画面１５４を表示する。保存指示画面１５４は、スキャン画像９２１〜９２３に加え、携帯情報端末９０に原稿の種類ごとに登録された保存先を表す保存先アイコン９２４〜９２６を含む。ここで、保存先アイコン９２４は、レシートのスキャンデータの保存先として登録された経費精算クラウドシステムを表す。また、保存先アイコン９２５は、Ａ４用紙のスキャンデータの保存先として登録された文書管理クラウドシステムを表す。更に、保存先アイコン９２６は、名刺のスキャンデータの保存先として登録された名刺管理クラウドシステムを表す。その際、携帯情報端末９０では、アプリが表示部に保存ボタンを表示する。ユーザが、保存指示画面１５４において、保存料金を支払い、保存ボタンを押下すると、画像処理装置１００は、レシート、Ａ４用紙、及び、名刺のスキャンデータを、それぞれ対応するクラウドシステムに保存する。
【００５４】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５５】
（三次元スキャン処理の画面表示例）
ユーザが立体物９７を操作台２０に置いた状態で、予め定められた時間が経過すると、画像処理装置１００は、立体物９７をスキャンする。そして、ユーザが立体物９７を操作台２０から取り去ると、画像処理装置１００は、ガイド表示部１０及び操作台２０に立体物９７のスキャン結果を表示する。
【００５６】
図１４は、画像処理装置１００のスキャン完了時における画面表示例を示した図である。スキャンが完了すると、画像処理装置１００は、操作台２０にスキャン結果の平面画像９７１を表示する。一方、画像処理装置１００は、ガイド表示部１０にスキャン結果の三次元イメージ９７２を表示する。この三次元イメージ９７２は、図中、矢印で示すように、回転しながら表示され、ユーザがスキャン結果の立体形状を確認できるようになっている。また、画像処理装置１００は、ガイド表示部１０に、保存先の確認に関するガイド１７６と、支払い方法の確定に関するガイド１７７とを表示する。この状態で、ユーザが、携帯情報端末９０を操作台２０に置くと、画像処理装置１００は、操作台２０に保存指示画面１５５を表示する。保存指示画面１５５は、スキャン結果の平面画像９７１に加え、携帯情報端末９０に登録された保存先を表す保存先アイコン９２７を含む。ここで、保存先アイコン９２７は、立体物のスキャンデータの保存先として登録されたクラウドシステムを表す。その際、携帯情報端末９０では、アプリが表示部に保存ボタンを表示する。ユーザが、保存指示画面１５５において、保存料金を支払い、保存ボタンを押下すると、画像処理装置１００は、立体物９７のスキャンデータを、対応するクラウドシステムに保存する。
【００５７】
その後、画像処理装置１００は、図９に示したように、ガイド表示部１０に、ログアウトに関するガイド１２５と、荷物に関するガイド１２６とを表示する。これにより、ユーザが携帯情報端末９０を操作台２０から外すと、画像処理装置１００は、ログアウト処理を行い、ガイド表示部１０及び操作台２０に、ログアウトが完了した旨を表示する。また、携帯情報端末９０でも、アプリが表示部に、ログアウトした旨を表示する。
【００５８】
［制御装置の動作例］
図１５は、このような画面表示を行う制御装置７０の動作例を示したフローチャートである。
【００５９】
図示するように、制御装置７０では、まず、表示制御部７１が、ガイド表示部１０に待機中画面１０１を表示する（ステップ７０１）。
【００６０】
次に、検知制御部７３が、ユーザの接近を人感センサが検知したかどうかを判定する（ステップ７０２）。ユーザの接近を人感センサが検知したと判定されなければ、検知制御部７３は、ステップ７０２を繰り返すが、ユーザの接近を人感センサが検知したと判定されれば、制御装置７０は、公共空間でユーザが必要とする情報をプリントする公共プリント処理を行う（ステップ７０３）。
【００６１】
次いで、撮像制御部７５が、操作台２０に何かが置かれたことを撮像部６０が検知したかどうかを判定する（ステップ７０４）。操作台２０に何かが置かれたことを撮像部６０が検知したと判定されなければ、制御装置７０は、公共プリント処理を継続する。
【００６２】
一方、操作台２０に何かが置かれたことを撮像部６０が検知したと判定されれば、撮像制御部７５は、操作台２０に原稿９５が置かれたことを撮像部６０が検知したかどうかを判定する（ステップ７０５）。その結果、操作台２０に原稿９５が置かれたことを撮像部６０が検知したと判定されれば、制御装置７０は、二次元スキャン処理を行う（ステップ７０６）。
【００６３】
また、操作台２０に原稿９５が置かれたことを撮像部６０が検知したと判定されなければ、撮像制御部７５は、操作台２０に携帯情報端末９０が置かれたことを撮像部６０が検知したかどうかを判定する（ステップ７０７）。その結果、操作台２０に携帯情報端末９０が置かれたことを撮像部６０が検知したと判定されれば、制御装置７０は、プリント処理を行う（ステップ７０８）。尚、このとき、制御装置７０では、プリント処理を行うに先立ち、通信制御部７６が、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。一方、操作台２０に携帯情報端末９０が置かれたことを撮像部６０が検知したと判定されなければ、制御装置７０は、三次元スキャン処理を行う（ステップ７０９）。
【００６４】
図１６は、図１５のステップ７０８のプリント処理を行う際の制御装置７０の動作例を示したフローチャートである。
【００６５】
図示するように、制御装置７０は、まず、ガイド表示部１０及び操作台２０にログイン完了画面１０２を表示する（ステップ７２１）。具体的には、表示制御部７１が、ログイン完了画面１０２の一部をガイド表示部１０に表示し、投影制御部７２が、ログイン完了画面１０２の残りの一部を、投影部３０を用いて操作台２０に表示する。
【００６６】
次に、投影制御部７２が、投影部３０を用いて操作台２０に印刷予約ファイルの印刷を指示するための印刷指示画面１０３を表示する印刷指示画面表示処理を行う（ステップ７２２）。
【００６７】
次いで、支払い処理部７７等が、登録情報において印刷予約ファイルに対して登録された支払い方法又はその場で選択された支払い方法で支払い処理を行う（ステップ７２３）。そして、通信制御部７６が、携帯情報端末９０で印刷ボタンが押下された旨をＷｉ−Ｆｉにより受信したかどうかを判定する（ステップ７２４）。携帯情報端末９０で印刷ボタンが押下された旨をＷｉ−Ｆｉにより受信したと判定されなければ、通信制御部７６は、ステップ７２４を繰り返すが、携帯情報端末９０で印刷ボタンが押下された旨をＷｉ−Ｆｉにより受信したと判定されれば、印刷制御部７４が、印刷部５０で印刷を行うように制御する（ステップ７２５）。
【００６８】
その後、印刷部５０による印刷が終了すると、投影制御部７２が、投影部３０を用いて操作台２０にログアウトガイド画面１０６を表示する（ステップ７２６）。
【００６９】
図１７は、図１５のステップ７０６の二次元スキャン処理を行う際の制御装置７０の動作例を示したフローチャートである。
【００７０】
図示するように、制御装置７０は、まず、操作台２０に原稿種類認識結果を表示する（ステップ７４１）。具体的には、撮像制御部７５が、撮像部６０が撮像した原稿９５の画像を取得し、原稿種類認識部７８が、例えばパターンマッチングにより原稿９５の種類を認識し、投影制御部７２が、投影部３０を用いて操作台２０にその認識の結果を表示する。
【００７１】
次に、撮像制御部７５が、原稿９５の位置が変更されたことを撮像部６０が検知したかどうかを判定する（ステップ７４２）。原稿９５の位置が変更されたことを撮像部６０が検知したと判定されれば、制御装置７０は、再び、ステップ７４１を行う。原稿９５の位置が変更されたことを撮像部６０が検知したと判定されなければ、撮像制御部７５は、予め定められた時間が経過したかどうかを判定する（ステップ７４３）。予め定められた時間が経過したと判定されなければ、撮像制御部７５は、再び、ステップ７４２を行う。
【００７２】
一方、予め定められた時間が経過したと判定されれば、撮像制御部７５は、撮像部６０を用いて、操作台２０に置かれた原稿９５をスキャンする（ステップ７４４）。これにより、投影制御部７２が、投影部３０を用いて操作台２０にスキャン画像９２を表示するスキャン画像表示処理を行う（ステップ７４５）。
【００７３】
次に、撮像制御部７５は、操作台２０に携帯情報端末９０が置かれたことを撮像部６０が検知したかどうかを判定する（ステップ７４６）。操作台２０に携帯情報端末９０が置かれたことを撮像部６０が検知したと判定されなければ、撮像制御部７５は、ステップ７４６を繰り返すが、操作台２０に携帯情報端末９０が置かれたことを撮像部６０が検知したと判定されれば、投影制御部７２が、投影部３０を用いて操作台２０にスキャンデータの保存を指示するための保存指示画面を表示する（ステップ７４７）。尚、このとき、通信制御部７６は、ＮＦＣにより、携帯情報端末９０に登録された認証情報を取得し、認証情報に基づいて認証及びＷｉ−Ｆｉの接続設定を行い、Ｗｉ−Ｆｉにより、携帯情報端末９０から登録情報を受信しておくものとする。
【００７４】
次いで、支払い処理部７７等が、登録情報において原稿９５の種類に対して登録された支払い方法又はその場で選択された支払い方法で支払い処理を行う（ステップ７４８）。そして、通信制御部７６が、携帯情報端末９０で保存ボタンが押下された旨をＷｉ−Ｆｉにより受信したかどうかを判定する（ステップ７４９）。携帯情報端末９０で保存ボタンが押下された旨をＷｉ−Ｆｉにより受信したと判定されなければ、通信制御部７６は、ステップ７４９を繰り返すが、携帯情報端末９０で保存ボタンが押下された旨をＷｉ−Ｆｉにより受信したと判定されれば、投影制御部７２は、保存指示画面１５４を消去する保存指示画面消去処理を行う（ステップ７５０）。そして、通信制御部７６は、原稿９５のスキャンデータを原稿９５の種類に対して登録された保存先に通信Ｉ／Ｆ５を介して送信し、保存する（ステップ７５１）。
【００７５】
［画像処理装置の支払い処理時の画面表示例］
本実施の形態において、画像処理装置１００は、媒体を操作台２０に近付ける操作又は置く操作に応じて、媒体に関連付けられた情報を読み取り可能な操作台２０上の位置を案内する案内情報を操作台２０に表示する。ここで、媒体としては、カード及び携帯情報端末９０が例示される。媒体がカードである場合、媒体に関連付けられた情報としては、カードに記録された情報及び携帯情報端末９０に登録されたカードの情報が例示される。媒体が携帯情報端末９０である場合、媒体に関連付けられた情報としては、携帯情報端末９０に登録された情報が例示される。また、ユーザが携帯情報端末９０を操作台２０に置くことにより認証を行う際は、ユーザが携帯情報端末９０を操作台２０に近付けて情報を読み取り可能となった時点で案内情報を表示してもよい。但し、以下では、媒体としてカードを想定し、媒体を操作台２０に置く操作に応じて案内情報を表示するものとして説明する。
【００７６】
図１８は、図１６のステップ７２３の支払い処理で表示される画面表示例を示した図である。図６の印刷指示画面１０３が表示された状態で、ユーザがカード９９を例えばファイル画像９１２の上に置くと、画像処理装置１００は、ファイル画像９１２に対応する印刷予約ファイルの印刷料金のカード９９による支払いのための案内情報を、操作台２０に表示する。
【００７７】
具体的には、カード９９が携帯情報端末９０に登録されていないカード（以下、「未登録カード」という）である場合は、カード９９に記録された情報をカード９９に対応するカードリーダにより読み取り可能な操作台２０上の位置をユーザに案内する案内情報を表示する。図では、カードリーダにより読み取り可能な操作台２０上の位置をカードリーダ読取領域２１１とし、カード９９が置かれた位置からカードリーダ読取領域２１１への方向を矢印２３１により示す案内情報を表示している。或いは、カードリーダ読取領域２１１を光らせる等によりその位置を示す案内情報を表示してもよい。尚、ここでは、カードリーダにより読み取り可能な操作台２０上の位置として、カードリーダ読取領域２１１のみを案内するようにしたが、これには限らない。カード９９の種類に応じて、異なるカードリーダ読取領域を案内するようにしてもよい。
【００７８】
一方、カード９９が携帯情報端末９０に登録されているカード（以下、「登録カード」という）である場合は、携帯情報端末９０が置かれた操作台２０上の位置をユーザに案内する案内情報を表示する。尚、ここでは、携帯情報端末９０は、ＮＦＣリーダ又は撮像部６０がその情報を読み取り可能な位置に置かれているものとする。図では、携帯情報端末９０が置かれた操作台２０上の位置を携帯情報端末領域２２１とし、カード９９が置かれた位置から携帯情報端末領域２２１への方向を矢印２４１により示す案内情報を表示している。或いは、携帯情報端末領域２２１を光らせる等によりその位置を示す案内情報を表示してもよい。
【００７９】
このように、カードリーダにより読み取り可能な操作台２０上の位置又は携帯情報端末９０が置かれた操作台２０上の位置を案内する案内情報が操作台２０に表示されると、ユーザは、この案内情報に従って、カードリーダにより読み取り可能な操作台２０上の位置又は携帯情報端末９０が置かれた操作台２０上の位置へカード９９を移動させる。その際、画像処理装置１００は、カード９９に追随するようにファイル画像９１２を移動させてもよい。そして、カード９９に記録された情報又は携帯情報端末９０に登録された情報が読み取られて印刷料金の支払い処理が終了すると、ファイル画像９１２の表示態様を変更してもよい（例えば、消去してもよい）。
【００８０】
また、画像処理装置１００は、複数のファイル画像が操作台２０に表示されている場合に、ユーザがカード９９を個々のファイル画像の上に置くことにより、個々のファイル画像に対応する個々の印刷予約ファイルについて案内情報の表示及び印刷料金の支払い処理を行うようにしてもよい。例えば、上記でファイル画像９１２について案内情報の表示及び印刷料金の支払い処理を行ったとすると、その後、ファイル画像９１１について案内情報の表示及び印刷料金の支払い処理を行い、続けて、ファイル画像９１３について案内情報の表示及び印刷料金の支払い処理を行ってよい。この場合、ファイル画像９１１〜９１３を合わせた画像は、文書を表す画像の一例であり、ファイル画像９１１〜９１３は、複数の文書をそれぞれ表す複数の部分画像の一例である。或いは、画像処理装置１００は、複数のファイル画像が操作台２０に表示されている場合に、例えば、ユーザがカード９９を複数のファイル画像が重なった領域の上に置くことにより、複数のファイル画像に対応する複数の印刷予約ファイルについて一括して案内情報の表示及び印刷料金の支払い処理を行うようにしてもよい。
【００８１】
更に、上記では、カード９９に記録された情報又は携帯情報端末９０に登録された情報は、印刷予約ファイルの印刷料金の支払い処理のために用いられるものとしたが、より一般化して、印刷予約ファイルに対する何らかの処理のために用いられるものとしてもよい。
【００８２】
図１９は、図１７のステップ７４８の支払い処理で表示される画面表示例を示した図である。図１３の保存指示画面１５４が表示された状態で、ユーザがカード９９を例えばスキャン画像９２２の上に置くと、画像処理装置１００は、スキャン画像９２２に対応するスキャンデータの保存料金のカード９９による支払いのための案内情報を、操作台２０に表示する。
【００８３】
具体的には、カード９９が携帯情報端末９０に登録されていないカード（未登録カード）である場合は、カード９９に記録された情報をカード９９に対応するカードリーダにより読み取り可能な操作台２０上の位置をユーザに案内する案内情報を表示する。図では、カードリーダにより読み取り可能な操作台２０上の位置をカードリーダ読取領域２１２とし、カード９９が置かれた位置からカードリーダ読取領域２１２への方向を矢印２３２により示す案内情報を表示している。或いは、カードリーダ読取領域２１２を光らせる等によりその位置を示す案内情報を表示してもよい。尚、ここでは、カードリーダにより読み取り可能な操作台２０上の位置として、カードリーダ読取領域２１２のみを案内するようにしたが、これには限らない。カード９９の種類に応じて、異なるカードリーダ読取領域を案内するようにしてもよい。
【００８４】
一方、カード９９が携帯情報端末９０に登録されているカード（登録カード）である場合は、携帯情報端末９０が置かれた操作台２０上の位置をユーザに案内する案内情報を表示する。尚、ここでは、携帯情報端末９０は、ＮＦＣリーダ又は撮像部６０がその情報を読み取り可能な位置に置かれているものとする。図では、携帯情報端末９０が置かれた操作台２０上の位置を携帯情報端末領域２２２とし、カード９９が置かれた位置から携帯情報端末領域２２２への方向を矢印２４２により示す案内情報を表示している。或いは、携帯情報端末領域２２２を光らせる等によりその位置を示す案内情報を表示してもよい。
【００８５】
このように、カードリーダにより読み取り可能な操作台２０上の位置又は携帯情報端末９０が置かれた操作台２０上の位置を案内する案内情報が操作台２０に表示されると、ユーザは、この案内情報に従って、カードリーダにより読み取り可能な操作台２０上の位置又は携帯情報端末９０が置かれた操作台２０上の位置へカード９９を移動させる。その際、画像処理装置１００は、カード９９に追随するようにスキャン画像９２２を移動させてもよい。そして、カード９９に記録された情報又は携帯情報端末９０に登録された情報が読み取られて保存料金の支払い処理が終了すると、スキャン画像９２２の表示態様を変更してもよい。
【００８６】
また、画像処理装置１００は、複数のスキャン画像が操作台２０に表示されている場合に、ユーザがカード９９を個々のスキャン画像の上に置くことにより、個々のスキャン画像に対応する個々のスキャンデータについて案内情報の表示及び保存料金の支払い処理を行うようにしてもよい。例えば、上記でスキャン画像９２２について案内情報の表示及び保存料金の支払い処理を行ったとすると、その後、スキャン画像９２１について案内情報の表示及び保存料金の支払い処理を行い、続けて、スキャン画像９２３について案内情報の表示及び保存料金の支払い処理を行ってよい。この場合、スキャン画像９２１〜９２３を合わせた画像は、文書を表す画像の一例であり、スキャン画像９２１〜９２３は、複数の文書をそれぞれ表す複数の部分画像の一例である。或いは、画像処理装置１００は、複数のスキャン画像が操作台２０に表示されている場合に、例えば、ユーザがカード９９を複数のスキャン画像が重なった領域の上に置くことにより、複数のスキャン画像に対応する複数のスキャンデータについて一括して案内情報の表示及び保存料金の支払い処理を行うようにしてもよい。
【００８７】
更に、上記では、カード９９に記録された情報又は携帯情報端末９０に登録された情報は、スキャンデータの保存料金の支払い処理のために用いられるものとしたが、より一般化して、スキャンデータに対する何らかの処理のために用いられるものとしてもよい。
【００８８】
［制御装置の支払い処理時の動作例］
図２０は、図１６のステップ７２３又は図１７のステップ７４８の支払い処理を行う際の制御装置７０の動作例を示したフローチャートである。尚、この動作に先立ち、上述したように、制御装置７０は、図１５のステップ７０７又は図１７のステップ７４６で携帯情報端末９０が操作台２０に置かれた際に携帯情報端末９０からＷｉ−Ｆｉにより登録情報を取得しているものとする。
【００８９】
図示するように、制御装置７０では、まず、支払い処理部７７が、印刷予約ファイルをカウントするためのカウンタｉを「１」に設定する（ステップ８０１）。
【００９０】
次に、支払い処理部７７は、登録情報を参照して、ｉ番目の印刷予約ファイルに着目する（ステップ８０２）。そして、支払い処理部７７は、登録情報において、この着目した印刷予約ファイルに対して支払い方法が設定されているかどうかを判定する（ステップ８０３）。この着目した印刷予約ファイルに対して支払い方法が設定されていると判定されなければ、撮像制御部７５が、操作台２０にカード９９が置かれたことを撮像部６０が検知したかどうかを判定する（ステップ８０４）。操作台２０にカード９９が置かれたことを撮像部６０が検知したと判定されなければ、撮像制御部７５は、ステップ８０４を繰り返すが、操作台２０にカード９９が置かれたことを撮像部６０が検知したと判定されれば、支払い処理部７７は、登録情報を参照して、このカード９９が未登録カードであるかどうかを判定する（ステップ８０５）。
【００９１】
その結果、カード９９が未登録カードであると判定されれば、投影制御部７２が、投影部３０を用いて、操作台２０に、この未登録カードに記録された情報をカードリーダにより読み取り可能な位置を案内する案内情報を表示する（ステップ８０６）。これにより、ユーザは、操作台２０上で、この未登録カードをその記録された情報をカードリーダにより読み取り可能な位置へ移動する操作を行うので、撮像制御部７５が、未登録カードの移動を撮像部６０が検知したかどうかを判定する（ステップ８０７）。未登録カードの移動を撮像部６０が検知したと判定されなければ、撮像制御部７５は、ステップ８０７を繰り返すが、未登録カードの移動を撮像部６０が検知したと判定されれば、通信制御部７６が、カードリーダを用いて未登録カードから情報を読み取る（ステップ８０８）。
【００９２】
一方、カード９９が未登録カードでない、つまり登録カードであると判定されれば、投影制御部７２が、投影部３０を用いて、操作台２０に、その登録カードの情報が登録された携帯情報端末９０が置かれた位置を案内する案内情報を表示する（ステップ８０９）。これにより、ユーザは、操作台２０上で、この登録カードをその情報が登録された携帯情報端末９０が置かれた位置へ移動する操作を行うので、撮像制御部７５が、登録カードの移動を撮像部６０が検知したかどうかを判定する（ステップ８１０）。登録カードの移動を撮像部６０が検知したと判定されなければ、撮像制御部７５は、ステップ８１０を繰り返すが、登録カードの移動を撮像部６０が検知したと判定されれば、通信制御部７６が、例えばＷｉ−Ｆｉにより登録カードから情報を読み取る（ステップ８１１）。
【００９３】
また、ステップ８０３で着目した印刷予約ファイルに対して支払い方法が設定されていると判定された場合も、通信制御部７６が、例えばＷｉ−Ｆｉにより登録カードから情報を読み取る（ステップ８１１）。
【００９４】
これにより、支払い処理部７７は、ステップ８０８で読み取られた情報又はステップ８１１で読み取られた情報に基づいて、外部の支払いシステムでの処理に必要な支払い情報を作成する（ステップ８１２）。但し、未登録カードが電子マネー型のカードである場合は、支払い情報を作成するのではなく、未登録カードに記録された残高に関する情報を書き換える処理を行ってもよい。
【００９５】
その後、支払い処理部７７は、登録情報を参照して、他に印刷予約ファイルがあるかどうかを判定する（ステップ８１３）。他に印刷予約ファイルがあると判定されれば、支払い処理部７７は、カウンタｉに「１」を加算し（ステップ８１４）、処理をステップ８０２へ戻す。一方、他に印刷予約ファイルがあると判定されなければ、通信制御部７６が、通信Ｉ／Ｆ５を介して、ステップ８１２で作成された支払い情報を外部の支払いシステムに送信する（ステップ８１５）。
【００９６】
［プログラム］
本実施の形態における制御装置７０が行う処理は、例えば、アプリケーションソフトウェア等のプログラムとして用意される。
【００９７】
即ち、本実施の形態を実現するプログラムは、コンピュータに、読取手段により情報を読み取る機能と、媒体を表示面に近付ける操作又は置く操作に応じて、媒体に関連付けられた情報を読取手段が読み取り可能な表示面上の位置を案内する案内情報を表示面に表示する機能とを実現させるためのプログラムとして捉えられる。
【００９８】
尚、本実施の形態を実現するプログラムは、通信手段により提供することはもちろん、ＣＤ−ＲＯＭ等の記録媒体に格納して提供することも可能である。
【符号の説明】
【００９９】
１０…ガイド表示部、２０…操作台、３０…投影部、４０…操作検知部、５０…印刷部、６０…撮像部、７０…制御装置、７１…表示制御部、７２…投影制御部、７３…検知制御部、７４…印刷制御部、７５…撮像制御部、７６…通信制御部、７７…支払い処理部、７８…原稿種類認識部、７９…スキャンデータ処理部、１００…画像処理装置
【図１】
2019092064.tif 000003
【図２】
2019092064.tif 000004
【図３】
2019092064.tif 000005
【図４】
2019092064.tif 000006
【図５】
2019092064.tif 000007
【図６】
2019092064.tif 000008
【図７】
2019092064.tif 000009
【図８】
2019092064.tif 000010
【図９】
2019092064.tif 000011
【図１０】
2019092064.tif 000012
【図１１】
2019092064.tif 000013
【図１２】
2019092064.tif 000014
【図１３】
2019092064.tif 000015
【図１４】
2019092064.tif 000016
【図１５】
2019092064.tif 000017
【図１６】
2019092064.tif 000018
【図１７】
2019092064.tif 000019
【図１８】
2019092064.tif 000020
【図１９】
2019092064.tif 000021
【図２０】
2019092064.tif 000022